(57)【要約】【課題】利用者の利便性を向上させることができる情報通信システム、情報媒体、および読み取り機を提供する。【解決手段】情報通信システム１は、少なくとも第１データ１１Ａと第２データ１１Ｂとが格納された情報媒体１１と、情報媒体１１に格納された第１データ１１Ａと第２データ１１Ｂとを読み取る読み取り機１２とを備え、第１データ１１Ａは、第１周波数帯域のデータであり、第２データ１１Ｂは、第１周波数帯域よりも高い第２周波数帯域のデータであり、読み取り機１２は、第１データ１１Ａを読み取る場合に第１周波数帯域に対応する第１分解能を用い、第２データ１１Ｂを読み取る場合に第１分解能よりも高い分解能であって第２周波数帯域に対応する第２分解能を用いる。【選択図】図４
2019079254.tif 000002
【特許請求の範囲】
【請求項１】
少なくとも第１データと第２データとが格納された情報媒体と、
前記情報媒体に格納された前記第１データと前記第２データとを読み取る読み取り機とを備える情報通信システムであって、
前記第１データは、第１周波数帯域のデータであり、
前記第２データは、前記第１周波数帯域よりも高い第２周波数帯域のデータであり、
前記読み取り機は、前記第１データを読み取る場合に前記第１周波数帯域に対応する第１分解能を用い、前記第２データを読み取る場合に前記第１分解能よりも高い分解能であって前記第２周波数帯域に対応する第２分解能を用いる、
情報通信システム。
【請求項２】
前記読み取り機は、
前記第１分解能を用いることによって前記第１データを読み取る第１読み取り部と、
前記第２分解能を用いることによって前記第２データを読み取る第２読み取り部とを備える、
請求項１に記載の情報通信システム。
【請求項３】
前記読み取り機は、
前記第１分解能を用いる設定と、前記第２分解能を用いる設定とを切り替える設定切り替え部を更に備える、
請求項２に記載の情報通信システム。
【請求項４】
前記読み取り機は、
前記第１読み取り部または前記第２読み取り部が１つ目のデータを読み取る時に、２つ目のデータが前記情報媒体に格納されていると予測し、前記設定切り替え部を作動させる予測部を更に備える、
請求項３に記載の情報通信システム。
【請求項５】
前記第１データには、前記第２データが存在することを示唆する情報が含まれている、
請求項３に記載の情報通信システム。
【請求項６】
前記第１データは概要情報であり、前記第２データは詳細情報である、
請求項１から請求項５のいずれか一項に記載の情報通信システム。
【請求項７】
少なくとも第１データと第２データとが格納された情報媒体であって、
前記情報媒体に格納された前記第１データと前記第２データとは、読み取り機によって読み取られ、
前記第１データは、第１周波数帯域のデータであり、
前記第２データは、前記第１周波数帯域よりも高い第２周波数帯域のデータであり、
前記第１データが前記読み取り機によって読み取られる場合には、前記第１周波数帯域に対応する第１分解能が用られ、
前記第２データが前記読み取り機によって読み取られる場合には、前記第１分解能よりも高い分解能であって前記第２周波数帯域に対応する第２分解能が用いられる、
情報媒体。
【請求項８】
情報媒体に格納された少なくとも第１データと第２データとを読み取る読み取り機であって、
前記第１データは、第１周波数帯域のデータであり、
前記第２データは、前記第１周波数帯域よりも高い第２周波数帯域のデータであり、
前記読み取り機は、前記第１データを読み取る場合に前記第１周波数帯域に対応する第１分解能を用い、前記第２データを読み取る場合に前記第１分解能よりも高い分解能であって前記第２周波数帯域に対応する第２分解能を用いる、
読み取り機。
【発明の詳細な説明】
【技術分野】
【０００１】
本発明は、情報通信システム、情報媒体、および読み取り機に関する。
【背景技術】
【０００２】
従来、ＲＦＩＤ通信のキャリア周波数として９５０ＭＨｚと１３．５６ＭＨｚの２周波に対応させることができる２周波通信方式が知られている（例えば特許文献１参照）。特許文献１に記載された２周波通信方式では、ＲＦＩＤチップのフロントエンド部に、９５０ＭＨｚ対応のアンテナ・同調回路と１３．５６ＭＨｚ対応のアンテナ・同調回路の２周波対応のアンテナ・同調回路が２組接続される。
【先行技術文献】
【特許文献】
【０００３】
【特許文献１】特開２００５−１５１２５７号公報
【発明の概要】
【発明が解決しようとする課題】
【０００４】
ところで、特許文献１に記載された２周波通信方式では、読み取り機が、第１周波数帯域のデータを読み取ることができ、かつ、第２周波数帯域のデータを読み取ることができるものの、特許文献１には、情報媒体にデータをどのように格納すべきかについて記載されていない。そのため、仮にすべてのデータが例えば第１周波数帯域のデータとして情報媒体に格納されている場合には、読み取り機が、情報媒体に格納されたデータを、例えば第１周波数帯域に対応する第１分解能を用いて読み取る時に、情報媒体に格納されているすべてのデータが読み取られてしまう。その結果、例えば情報通信システムの利用者は、読み取り機によって必要とされていないデータも読み取る。そのデータ量に応じて読み取られたデータから把握したい情報を把握できないおそれがある。つまり、情報通信システムの利用者の利便性が低下してしまうおそれがある。
【０００５】
本発明は上記事情に鑑みてなされたものであり、利用者の利便性を向上させることができる情報通信システム、情報媒体、および読み取り機を提供することを目的とする。
【課題を解決するための手段】
【０００６】
上記目的を達成するため、本発明の情報通信システムは、少なくとも第１データと第２データとが格納された情報媒体と、前記情報媒体に格納された前記第１データと前記第２データとを読み取る読み取り機とを備える情報通信システムであって、前記第１データは、第１周波数帯域のデータであり、前記第２データは、前記第１周波数帯域よりも高い第２周波数帯域のデータであり、前記読み取り機は、前記第１データを読み取る場合に前記第１周波数帯域に対応する第１分解能を用い、前記第２データを読み取る場合に前記第１分解能よりも高い分解能であって前記第２周波数帯域に対応する第２分解能を用いる。
【０００７】
本発明の情報通信システムでは、前記読み取り機は、前記第１分解能を用いることによって前記第１データを読み取る第１読み取り部と、前記第２分解能を用いることによって前記第２データを読み取る第２読み取り部とを備えてもよい。
【０００８】
本発明の情報通信システムでは、前記読み取り機は、前記第１分解能を用いる設定と、前記第２分解能を用いる設定とを切り替える設定切り替え部を更に備えてもよい。
【０００９】
上述したように、仮にすべてのデータが例えば第１周波数帯域のデータとして情報媒体に格納されている場合には、読み取り機が、情報媒体に格納されたデータを、例えば第１周波数帯域に対応する第１分解能を用いて読み取る時に、情報媒体に格納されているすべてのデータが読み取られてしまう。その結果、例えば情報通信システムの利用者は、読み取り機によって読み取られたデータのすべてを把握できないおそれがある。つまり、情報通信システムの利用者は把握したいデータを把握できず、その利便性が低下してしまうおそれがある。
一方、本発明の情報通信システムでは、第１周波数帯域の第１データと、第１周波数帯域よりも高い第２周波数帯域の第２データとが、情報媒体に格納されている。そのため、読み取り機が、情報媒体に格納されたデータを、例えば第１周波数帯域に対応する第１分解能を用いて読み取る時に、第１周波数帯域の第１データは読み取られるものの、第２周波数帯域の第２データは読み取られない。
その結果、例えば情報通信システムの利用者は、読み取り機によってそれぞれの周波数帯域のデータを読み取れ、適宜なデータ量で情報を把握できて、読み取られたデータのすべてを容易に把握することができる。
つまり、本発明の情報通信システムでは、読み取り機によって一度に多量のデータが読み取られることに伴い、例えば情報通信システムの利用者が、読み取り機によって読み取られたデータのすべてを把握できなくなる、という事態を回避することができる。
すなわち、本発明の情報通信システムでは、利用者の利便性を向上させることができる。
【００１０】
本発明の情報通信システムでは、前記読み取り機は、前記第１読み取り部または前記第２読み取り部が１つ目のデータを読み取る時に、２つ目のデータが前記情報媒体に格納されていると予測し、前記設定切り替え部を作動させる予測部を更に備えてもよい。
このように構成することによって、本発明の情報通信システムでは、読み取り機によって２つ目のデータが読み取られないおそれを抑制することができる。
【００１１】
本発明の情報通信システムでは、前記第１データには、前記第２データが存在することを示唆する情報が含まれていてもよい。
このように構成することによって、本発明の情報通信システムでは、情報通信システムの利用者が第２データの存在に気づかないおそれを抑制することができる。
【００１２】
本発明の情報通信システムでは、前記第１データは概要情報であり、前記第２データは詳細情報であってもよい。
【００１３】
上記目的を達成するため、本発明の情報媒体は、少なくとも第１データと第２データとが格納された情報媒体であって、前記情報媒体に格納された前記第１データと前記第２データとは、読み取り機によって読み取られ、前記第１データは、第１周波数帯域のデータであり、前記第２データは、前記第１周波数帯域よりも高い第２周波数帯域のデータであり、前記第１データが前記読み取り機によって読み取られる場合には、前記第１周波数帯域に対応する第１分解能が用られ、前記第２データが前記読み取り機によって読み取られる場合には、前記第１分解能よりも高い分解能であって前記第２周波数帯域に対応する第２分解能が用いられる。
このように構成することによって、本発明の情報媒体では、上述したように、利用者の利便性を向上させることができる。
【００１４】
上記目的を達成するため、本発明の読み取り機は、情報媒体に格納された少なくとも第１データと第２データとを読み取る読み取り機であって、前記第１データは、第１周波数帯域のデータであり、前記第２データは、前記第１周波数帯域よりも高い第２周波数帯域のデータであり、前記読み取り機は、前記第１データを読み取る場合に前記第１周波数帯域に対応する第１分解能を用い、前記第２データを読み取る場合に前記第１分解能よりも高い分解能であって前記第２周波数帯域に対応する第２分解能を用いる。
このように構成することによって、本発明の読み取り機では、読み取り機の分解能の使い分けにより適宜なデータ量を読み取れ、利用者の利便性を向上させることができる。
【発明の効果】
【００１５】
本発明によれば、利用者の利便性を向上させることができる情報通信システム、情報媒体、および読み取り機を提供することができる。
【図面の簡単な説明】
【００１６】
【図１】画像と空間周波数との関係を説明するための図である。
【図２】空間周波数と認識可能波形との関係を説明するための図である。
【図３】周波数帯域と周波数帯域別の主な用途との関係を説明するための図である。
【図４】第１実施形態の情報通信システムの一例の概略構成図である。
【図５】図４に示す第１データ、第２データ、第３データおよび第４データの一例を説明するための図である。
【図６】図４および図５に示す第１データ、第２データなどの具体例を説明するための図である。
【図７】第１実施形態の情報通信システムが適用された第１適用例を説明するための図である。
【図８】第１実施形態の情報通信システムが適用された第２適用例を説明するための図である。
【図９】第１実施形態の情報通信システムが適用された第３適用例を説明するための図である。
【図１０】第２実施形態の情報通信システムの一例の概略構成図である。
【図１１】第１または第２実施形態の情報通信システムにおける周波数帯域と情報量・分解能・距離との関係を示す図である。
【発明を実施するための形態】
【００１７】
本発明の情報通信システム、情報媒体、および読み取り機の実施形態を説明する前に、本明細書において用いられる用語などについて説明する。
【００１８】
本明細書における情報媒体は、一般的に以下のような自動認識技術のデータ構造で構成される。
【００１９】
［画像認識系（空間帯域）の情報媒体］
（１）一次元シンボル（バーコード）
情報データは、単一方向に表示する。光学的反射率の高い棒状のスペース部分と低い棒状のバー部分との組合せで表示する。
（２）二次元シンボル（２次元コード）
縦横の２次元情報を表示する。マルチローシンボル体系及びマトリックスシンボル体系がある。
【００２０】
［電波認識系（電波周波数帯域）の情報媒体］
（３）ＲＦＩＤ（Radio Frequency Identification）
情報データはカード状またはタグ状の媒体に直接に格納される。電波を用いてデータを記録または読出しを行い、アンテナを介して通信を行う認識方法である。使用する電波の周波数帯は１３５ｋＨｚ未満（長波）、１３．５６ＭＨｚ（ＨＦ）、２．４５ＧＨｚ（マイクロ波）、８６０−９６０ＭＨｚ（ＵＨＦ）である。周波数帯によって通信距離と通信範囲が変わる特長がある。
【００２１】
本明細書における読み取り機は、分解能範囲があるため、対象媒体に対して読み取れる範囲がある。
例えば画像認識系の情報媒体が用いられる場合、読み取り機の分解能が低くても、バーコードのバー幅をできるだけ太くする必要がある。後述の空間周波数の低い帯域の画像を使用する必要がある。
電波認識系の情報媒体が用いられる場合、波長の長い周波数帯を利用する必要がある。
【００２２】
本明細書において、空間周波数（spatial frequency）とは、空間的な周期をもつ構造の性質である。単位長に含まれる構造の繰り返しの多さを表す。
【００２３】
図１は画像と空間周波数との関係を説明するための図である。詳細には、図１（Ａ）は荒い模様のパターンを示しており、図１（Ｂ）は荒い模様のパターンに対応する低い空間周波数の波を示している。図１（Ｃ）は微細な模様のパターンを示しており、図１（Ｄ）は微細な模様のパターンに対応する高い空間周波数の波を示している。
物体の画像を空間周波数に変換すると、図１に示すように、低い空間周波数は大きな構造や荒い模様のパターンを反映し、高い空間周波数は小さい構造や微細な模様のパターンを反映する。すなわち、読み取り機が対象とした画像（情報媒体）から遠ければ、遠いほど、読み取り機は、高い空間周波数の情報を認識しづらくなる特徴がある。また、物体が移動している時（つまり、読み取り機と情報媒体とが相対移動している時）に、画像が有する空間周波数が低いほど、相対的に変化が少ないため、読み取り機は、その画像の情報を認識しやすくなる傾向がある。
【００２４】
図２は空間周波数と認識可能波形との関係を説明するための図である。詳細には、図２（Ａ）は低い空間周波数の波を示しており、図２（Ｂ）は図２（Ａ）に示す波よりも高い空間周波数の波を示しており、図２（Ｃ）は図２（Ｂ）に示す波よりも高い空間周波数の波を示しており、図２（Ｄ）は図２（Ｃ）に示す波よりも高い空間周波数の波を示している。図２（Ｅ）は図２（Ａ）〜図２（Ｄ）に示す波を合成した合成波を示している。図２（Ｆ）は図２（Ｅ）に示す合成波をフーリエ変換処理等することにより得られた空間周波数成分（振幅スペクトル）を示している。図２（Ｇ）は図２（Ｅ）に示す合成波に対してローパスフィルタをかけることによって得られた波を示している。
図２に示す例では、読み取り機が、低い周波数帯域のデータを読み取る。
図２に示すように、読み取り機は、その機器の分解能範囲内で特定の空間周波帯域のデータしか読み取れず、その帯域の情報しか認識できない。また、合成された波形に対して（つまり、読み取られた情報データに対して）フィルターをかけることによって、特定の空間周波数を有する情報が得られることが分かる。
【００２５】
図３は周波数帯域と周波数帯域別の主な用途との関係を説明するための図である。〈URL：http://www.tele.soumu.go.jp/j/adm/freq/search/myuse/summary/〉
図３に示す例では、最も左側のＲＦＩＤ機器では、長波の周波数帯域が用いられ、左側から２番目のＲＦＩＤ機器では、短波の周波数帯域が用いられ、右側から２番目のＲＦＩＤ機器では、極超短波の周波数帯域が用いられ、最も右側のＲＦＩＤ機器では、マイクロ波の周波数帯域が用いられる。それぞれのＲＦＩＤ機器は特定の周波数帯域にしか使われておらず、その認識できる情報内容とその情報量は限られる。
【００２６】
以下、図面を参照し、本発明の情報通信システム、情報媒体、および読み取り機の実施形態について説明する。
【００２７】
＜第１実施形態＞
図４は第１実施形態の情報通信システム１の一例の概略構成図である。
図４に示す例では、情報通信システム１が、情報媒体１１と、読み取り機１２とを備えている。
情報媒体１１には、第１データ１１Ａと、第２データ１１Ｂと、第３データ１１Ｃと、第４データ１１Ｄとが格納されている。第１データ１１Ａには、データ１１Ａ１が含まれ、第２データ１１Ｂには、データ１１Ｂ１〜１１Ｂ５が含まれ、第３データ１１Ｃには、データ１１Ｃ１〜１１Ｃ５が含まれ、第４データ１１Ｄには、データ１１Ｄ１〜１１Ｄ７が含まれる。
読み取り機１２は、情報媒体１１に格納された第１データ１１Ａ（詳細には、データ１１Ａ１）と、第２データ１１Ｂ（詳細には、データ１１Ｂ１〜１１Ｂ５）と、第３データ１１Ｃ（詳細には、データ１１Ｃ１〜１１Ｃ５）と、第４データ１１Ｄ（詳細には、データ１１Ｄ１〜１１Ｄ７）とを読み取る。第１データ１１Ａは、第１周波数帯域のデータである。第２データ１１Ｂは、第１周波数帯域よりも高い第２周波数帯域のデータである。第３データ１１Ｃは、第２周波数帯域よりも高い第３周波数帯域のデータである。第４データ１１Ｄは、第３周波数帯域よりも高い第４周波数帯域のデータである。
【００２８】
図４に示す例では、読み取り機１２が、第１読み取り部１２Ａと、第２読み取り部１２Ｂと、第３読み取り部１２Ｃと、第４読み取り部１２Ｄと、設定切り替え部１２Ｅと、予測部１２Ｆとを備えている。
第１読み取り部１２Ａ、第２読み取り部１２Ｂ、第３読み取り部１２Ｃおよび第４読み取り部１２Ｄは、情報媒体１１に格納されたデータを読み取る。
具体的には、第１読み取り部１２Ａは、第１周波数帯域に対応する第１分解能を用いることによって、第１データ１１Ａ（詳細には、データ１１Ａ１）を読み取る。第２読み取り部１２Ｂは、第１分解能よりも高い分解能であって第２周波数帯域に対応する第２分解能を用いることによって、第２データ１１Ｂ（詳細には、データ１１Ｂ１〜１１Ｂ５）を読み取る。第３読み取り部１２Ｃは、第２分解能よりも高い分解能であって第３周波数帯域に対応する第３分解能を用いることによって、第３データ１１Ｃ（詳細には、データ１１Ｃ１〜１１Ｃ５）を読み取る。第４読み取り部１２Ｄは、第３分解能よりも高い分解能であって第４周波数帯域に対応する第４分解能を用いることによって、第４データ１１Ｄ（詳細には、データ１１Ｄ１〜１１Ｄ７）を読み取る。
【００２９】
図４に示す例では、設定切り替え部１２Ｅが、第１分解能を用いる設定と、第２分解能を用いる設定と、第３分解能を用いる設定と、第４分解能を用いる設定とを切り替える。
予測部１２Ｆは、第１読み取り部１２Ａが第１データ１１Ａを読み取る時に、第２データ１１Ｂが情報媒体１１に格納されていると予測し、第１データ１１Ａの読み取り後に設定切り替え部１２Ｅを作動させる。また、予測部１２Ｆは、第２読み取り部１２Ｂが第２データ１１Ｂを読み取る時に、第３データ１１Ｃが情報媒体１１に格納されていると予測し、第２データ１１Ｂの読み取り後に設定切り替え部１２Ｅを作動させる。また、予測部１２Ｆは、第３読み取り部１２Ｃが第３データ１１Ｃを読み取る時に、第４データ１１Ｄが情報媒体１１に格納されていると予測し、第３データ１１Ｃの読み取り後に設定切り替え部１２Ｅを作動させる。
【００３０】
図５は図４に示す第１データ１１Ａ、第２データ１１Ｂ、第３データ１１Ｃおよび第４データ１１Ｄの一例を説明するための図である。詳細には、図５（Ａ）は第１データ１１Ａおよびそれに含まれるデータ１１Ａ１を示している。図５（Ｂ）は第２データ１１Ｂおよびそれに含まれるデータ１１Ｂ１〜１１Ｂ２を示している。図５（Ｃ）は第３データ１１Ｃおよびそれに含まれるデータ１１Ｃ１〜１１Ｃ５を示している。図５（Ｄ）は第４データ１１Ｄおよびそれに含まれるデータ１１Ｄ１〜１１Ｄ７を示している。
第１データ１１Ａは、第１周波数帯域のデータである。第２データ１１Ｂは、第１周波数帯域よりも高い（つまり、第１データ１１Ａの波長よりも波長が短い）第２周波数帯域のデータである。第３データ１１Ｃは、第２周波数帯域よりも高い（つまり、第２データ１１Ｂの波長よりも波長が短い）第３周波数帯域のデータである。第４データ１１Ｄは、第３周波数帯域よりも高い（つまり、第３データ１１Ｃの波長よりも波長が短い）第４周波数帯域のデータである。
【００３１】
図５（Ｅ）は、仮に第１データ１１Ａと、第２データ１１Ｂと、第３データ１１Ｃと、第４データ１１Ｄとが合成された場合における合成波を示している。図５（Ｆ）は図５（Ｅ）に示す合成波をフーリエ変換処理等することにより得られた空間周波数成分（振幅スペクトル）を示している。図５（Ｇ）は図５（Ｅ）に示す合成波に対してローパスフィルタをかけることによって得られた波（詳細には、第２データ１１Ｂおよびそれに含まれるデータ１１Ｂ１〜１１Ｂ２）を示している。
【００３２】
図６は図４および図５に示す第１データ１１Ａ、第２データ１１Ｂなどの具体例を説明するための図である。
図６に示す例では、情報媒体１１に、第１データ１１Ａと、第２データ１１Ｂと、第３データ１１Ｃとが格納されている。第１データ１１Ａには、データ１１Ａ１が含まれており、第２データ１１Ｂには、データ１１Ｂ１が含まれており、第３データ１１Ｃには、データ１１Ｃ１、１１Ｃ２が含まれている。
まず、読み取り機１２の第１読み取り部１２Ａが、第１周波数帯域に対応する第１分解能を用いることによって、第１データ１１Ａのデータ１１Ａ１を読み取る。予測部１２Ｆは、第１読み取り部１２Ａが第１データ１１Ａを読み取る時に、第２データ１１Ｂが情報媒体１１に格納されていると予測し、第１データ１１Ａの読み取り後に設定切り替え部１２Ｅを作動させる。つまり、設定切り替え部１２Ｅは、第１分解能を用いる設定から第２分解能を用いる設定への切り替えを行う。
【００３３】
次いで、読み取り機１２の第２読み取り部１２Ｂが、第２周波数帯域に対応する第２分解能を用いることによって、第２データ１１Ｂのデータ１１Ｂ１を読み取る。予測部１２Ｆは、第２読み取り部１２Ｂが第２データ１１Ｂを読み取る時に、第３データ１１Ｃが情報媒体１１に格納されていると予測し、第２データ１１Ｂの読み取り後に設定切り替え部１２Ｅを作動させる。つまり、設定切り替え部１２Ｅは、第２分解能を用いる設定から第３分解能を用いる設定への切り替えを行う。
次いで、読み取り機１２の第３読み取り部１２Ｃが、第３周波数帯域に対応する第３分解能を用いることによって、第３データ１１Ｃのデータ１１Ｃ１、１１Ｃ２を読み取る。予測部１２Ｆは、第３読み取り部１２Ｃが第３データ１１Ｃを読み取る時に、第４データ１１Ｄが情報媒体１１に格納されていると予測し、第３データ１１Ｃの読み取り後に設定切り替え部１２Ｅを作動させる。つまり、設定切り替え部１２Ｅは、第３分解能を用いる設定から第４分解能を用いる設定への切り替えを行う。
次いで、読み取り機１２の第４読み取り部１２Ｄが、第４周波数帯域に対応する第４分解能を用いた第４データ１１Ｄの読み取りを試みる。図６（Ａ）に示す例では、情報媒体１１に第４データ１１Ｄが格納されていないため、読み取り機１２による読み取り処理が終了する。
【００３４】
図６に示す例において、仮にすべてのデータ１１Ａ１、１１Ｂ１、１１Ｃ１、１１Ｃ２が例えば第１周波数帯域のデータとして情報媒体１１に格納されている場合には、読み取り機１２が、情報媒体１１に格納されたデータを、例えば第１周波数帯域に対応する第１分解能を用いて読み取る時に、情報媒体１１に格納されているすべてのデータ１１Ａ１、１１Ｂ１、１１Ｃ１、１１Ｃ２が読み取られる。その結果、例えば情報通信システム１の利用者は、上述したように、読み取り機１２によって読み取られたデータ１１Ａ１、１１Ｂ１、１１Ｃ１、１１Ｃ２の情報のすべてを把握できないおそれがある。つまり、情報通信システム１の利用者の利便性が低下してしまうおそれがある。
そこで、第１実施形態の情報通信システム１が適用された例えば図６に示す例では、上述したように、第１周波数帯域の第１データ１１Ａと、第１周波数帯域よりも高い第２周波数帯域の第２データ１１Ｂと、第２周波数帯域よりも高い第３周波数帯域の第３データ１１Ｃとが、情報媒体１１に分けて格納されている。そのため、読み取り機１２が、情報媒体１１に格納されたデータを、例えば第１周波数帯域に対応する第１分解能を用いて読み取る時に、第１周波数帯域の第１データ１１Ａは読み取られるものの、第２周波数帯域の第２データ１１Ｂおよび第３周波数帯域の第３データ１１Ｃは読み取られない。
その結果、例えば情報通信システム１の利用者は、読み取り機１２によって読み取られたデータの情報（詳細には、データ１１Ａ１）を容易に把握することができる。
【００３５】
つまり、第１実施形態の情報通信システム１が適用された例えば図６に示す例では、読み取り機１２によって一度に多量のデータ１１Ａ１、１１Ｂ１、１１Ｃ１、１１Ｃ２が読み取られることに伴い、例えば情報通信システムの利用者が、読み取り機１２によって読み取られたデータ１１Ａ１、１１Ｂ１、１１Ｃ１、１１Ｃ２の情報のすべてを把握できなくなる、という事態を回避することができる。
すなわち、第１実施形態の情報通信システム１では、利用者の利便性を向上させることができる。
【００３６】
また、第１実施形態の情報通信システム１では、上述したように、予測部１２Ｆは、第１読み取り部１２Ａが第１データ１１Ａを読み取る時に、第２データ１１Ｂが情報媒体１１に格納されていると予測し、設定切り替え部１２Ｅを作動させる。そのため、読み取り機１２によって第２データ１１Ｂが読み取られないおそれを抑制することができる。
第１実施形態の情報通信システム１では、読み取り機１２が予測部１２Ｆを備えているが、他の例では、読み取り機１２が予測部１２Ｆを備えていなくてもよい。読み取り機１２が予測部１２Ｆを備えていない場合には、第２データ１１Ｂが存在することを示唆する情報が、第１データ１１Ａに含められる。このように構成することによって、情報通信システム１の利用者が第２データ１１Ｂの存在に気づかないおそれを抑制することができる。同様に、第３データ１１Ｃが存在する場合には、第３データ１１Ｃが存在することを示唆する情報が、第２データ１１Ｂに含められる。また、第４データ１１Ｄが存在する場合には、第４データ１１Ｄが存在することを示唆する情報が、第３データ１１Ｃに含められる。
【００３７】
＜第１適用例＞
図７は第１実施形態の情報通信システム１が適用された第１適用例を説明するための図である。詳細には、図７（Ａ）は第１適用例の情報媒体１１が有する情報を示しており、図７（Ｂ）は図７（Ａ）に示す情報が格納された情報媒体１１を示している。
図７に示す例では、情報媒体１１には、第１データ１１Ａと、第２データ１１Ｂと、第３データ１１Ｃとが格納されている。第１データ１１Ａには、データ１１Ａ１が含まれ、第２データ１１Ｂには、データ１１Ｂ１〜１１Ｂ５が含まれ、第３データ１１Ｃには、データ１１Ｃ１〜１１Ｃ５が含まれる。
データ１１Ａ１は、「出口」の情報を含む。
データ１１Ｂ１は「Ａ１（Ｂ３経由）」の情報を含み、データ１１Ｂ２は「Ｂ１」の情報を含み、データ１１Ｂ３は「Ａ３」の情報を含み、データ１１Ｂ４は「Ｂ２」の情報を含み、データ１１Ｂ５は「Ｂ３」の情報を含む。
データ１１Ｃ１は「押上１・３丁目」、「京成電鉄本社方面」の情報を含む。データ１１Ｃ２は「四ツ目通り」、「業平４・５丁目」、「横川４・５丁目方面」の情報を含む。データ１１Ｃ３は「押上１・２丁目」、「向島１〜４丁目」、「すみだ福祉保健センター」、「すみだ女性センター」、「東武鉄道本社」、「東武線業平橋駅方面」の情報を含む。データ１１Ｃ４は「四ツ目通り」、「業平２・３丁目」、「横川２・３丁目方面」の情報を含む。データ１１Ｃ５は「押上１・３丁目」、「京成電鉄本社方面」、「東京スカイツリー」の情報を含む。
図７に示す第１適用例では、第１データ１１Ａは概要情報であり、第２データ１１Ｂおよび第３データ１１Ｃは詳細情報である。
【００３８】
＜第２適用例＞
図８は第１実施形態の情報通信システム１が適用された第２適用例を説明するための図である。詳細には、図８（Ａ）は第２適用例の情報媒体１１が有する情報を示しており、図８（Ｂ）は図８（Ａ）に示す情報が格納された情報媒体１１を示している。
図８に示す例では、情報媒体１１には、第１データ１１Ａと、第２データ１１Ｂと、第３データ１１Ｃとが格納されている。第１データ１１Ａには、データ１１Ａ１が含まれ、第２データ１１Ｂには、データ１１Ｂ１〜１１Ｂ４が含まれ、第３データ１１Ｃには、データ１１Ｃ１〜１１Ｃ４が含まれる。
データ１１Ａ１は、「名所案内」の情報を含む。
データ１１Ｂ１は「醒ヶ井養鱒場（県営）」の情報を含み、データ１１Ｂ２は「葉上結実銀杏樹」の情報を含み、データ１１Ｂ３は「霊仙」の情報を含み、データ１１Ｂ４は「松尾寺」の情報を含む。
データ１１Ｃ１は「養鱒場河川の延長１ｋｍ余に達す」、「南４ｋｍ」、「バスあり」の情報を含む。データ１１Ｃ２は「天然記念物」、「了徳寺境内にあり」、「東南東０．５ｋｍ」の情報を含む。データ１１Ｃ３は「標高１，０８４ｍ」、「登山によい」、「南東９ｋｍ」、「途中までバスあり」の情報を含む。データ１１Ｃ４は「天台宗」、「重要文化財・九重塔」、「南５ｋｍ」、「途中までバスあり」の情報を含む。
図８に示す第２適用例では、第１データ１１Ａは概要情報であり、第２データ１１Ｂおよび第３データ１１Ｃは詳細情報である。
【００３９】
＜第３適用例＞
図９は第１実施形態の情報通信システム１が適用された第３適用例を説明するための図である。詳細には、図９（Ａ）は第３適用例の情報媒体１１が有する情報を示しており、図９（Ｂ）は図９（Ａ）に示す情報が格納された情報媒体１１を示している。
図９に示す例では、情報媒体１１には、第１データ１１Ａと、第２データ１１Ｂと、第３データ１１Ｃとが格納されている。第１データ１１Ａには、データ１１Ａ１が含まれ、第２データ１１Ｂには、データ１１Ｂ１〜１１Ｂ５が含まれ、第３データ１１Ｃには、データ１１Ｃ１〜１１Ｃ１０が含まれる。
データ１１Ａ１は、「地球規模の『循環』」の情報を含む。
データ１１Ｂ１は「食糧」の情報を含み、データ１１Ｂ２は「エネルギー」の情報を含み、データ１１Ｂ３は「水」の情報を含み、データ１１Ｂ４は「ＣＯ２」の情報を含み、データ１１Ｂ５は「資源」の情報を含む。
【００４０】
データ１１Ｃ１は「世界的人口爆発で食糧不足→世界中で農地拡大による環境破壊→深海漁業の質と量の可能性は無限」の情報を含む。データ１１Ｃ２は「深海の温度と栄養を活かす（例：高級ブランド魚の養殖）→沖合養殖漁業の拡充」の情報を含む。データ１１Ｃ３は「経済発展のグローバル化で電力逼迫→常時安定発電のベースロード電源が必要→深海が持つ未利用エネルギーは無限」の情報を含む。データ１１Ｃ４は「深海の温度差で海洋温度差発電→エネルギーの自給自足」の情報を含む。データ１１Ｃ５は「異常気象と消費拡大で世界的な水不足→海水を容易に淡水化できれば解決可能→深海から造れる淡水の量は無限」の情報を含む。データ１１Ｃ６は「深海の圧力差で逆浸透膜式淡水化→水の自給自足」の情報を含む。データ１１Ｃ７は「地球温暖化防止のためＣＯ２削減は急務→ＣＯ２削減の世界的合意形成は困難→深海のＣＯ２処理能力は無限」の情報を含む。データ１１Ｃ８は「地球本来のＣＯ２循環を活用（例：ＣＯ２からエネルギー製造→ＣＯ２を『削減』から『利用』へ）」の情報を含む。データ１１Ｃ９は「経済発展のグローバル化で資源→陸上の資源開発は枯渇化し環境問題誘発→海底や海中の資源量は無限」の情報を含む。データ１１Ｃ１０は「海水・海底の未利用資源活用（例：人工熱水鉱床）→資源を『採る』から『育てる』へ」の情報を含む。
図９に示す第３適用例では、第１データ１１Ａは概要情報であり、第２データ１１Ｂおよび第３データ１１Ｃは詳細情報である。
【００４１】
＜第２実施形態＞
第２実施形態の情報通信システム１は、後述する点を除き、上述した第１実施形態の情報通信システム１と同様に構成されている。従って、第２実施形態の情報通信システム１によれば、後述する点を除き、上述した第１実施形態の情報通信システム１と同様の効果を奏することができる。
【００４２】
上述したように、第１実施形態の情報通信システム１では、読み取り機１２が設定切り替え部１２Ｅを備えているが、第２実施形態の情報通信システム１では、読み取り機１２が設定切り替え部１２Ｅを備えていない。第２実施形態の情報通信システム１が適用される例では、利用者が、例えば第１の読み取り機１２と、第２の読み取り機（図示せず）と、第３の読み取り機（図示せず）と、第４の読み取り機（図示せず）とを適宜使い分ける。つまり、第２実施形態の情報通信システム１が適用される例では、利用者が、第１データ１１Ａを読み取る必要がある時に、第１の読み取り機１２を用いる。また、利用者は、第２データ１１Ｂを読み取る必要がある時に第２の読み取り機を用い、第３データ１１Ｃを読み取る必要がある時に第３の読み取り機を用い、第４データ１１Ｄを読み取る必要がある時に第４の読み取り機を用いる。
【００４３】
図１０は第２実施形態の情報通信システム１の一例の概略構成図である。
例えば図５などに示す例では、情報通信システム１が、画像認識系の情報媒体１１と、画像認識系の読み取り機１２とを備えている。一方、図１０に示す例では、情報通信システム１が、電波認識系の情報媒体１１と、電波認識系の読み取り機１２とを備えている。
図１０に示す例では、情報媒体１１が、ＩＣタグであり、読み取り機１２は、ＩＣタグに格納された情報を読み取る機能を有するリーダライタである。
情報媒体１１には、第１データ１１Ａと、第２データ１１Ｂと、第３データ１１Ｃとが格納されている。第１データ１１Ａには、データ１１Ａ１が含まれ、第２データ１１Ｂには、データ１１Ｂ１、１１Ｂ２が含まれ、第３データ１１Ｃには、データ１１Ｃ１〜１１Ｃ４が含まれる。データ１１Ｂ１、１１Ｂ２に対応するコイル状アンテナの直径は、データ１１Ａ１に対応するコイル状アンテナの直径よりも小さい。データ１１Ｃ１〜１１Ｃ４に対応するコイル状アンテナの直径は、データ１１Ｂ１、１１Ｂ２に対応するコイル状アンテナの直径よりも小さい。
【００４４】
図１０に示す例では、第１の読み取り機１２としてのリーダライタは、情報媒体１１に格納された第１データ１１Ａを読み取るためのコイルを備える。つまり、図１０に示す読み取り機（リーダライタ）１２のコイルの直径は、データ１１Ａ１が格納されたコイル状アンテナの直径に対応している。
データ１１Ｂ１、１１Ｂ２が読み取られる場合には、図１０に示す第１の読み取り機（リーダライタ）１２のコイルの直径よりも小さい直径を有するコイルが備えられた第２の読み取り機（リーダライタ）が用いられる。
データ１１Ｃ１〜１１Ｃ４が読み取られる場合には、データ１１Ｂ１、１１Ｂ２を読み取る第２の読み取り機（リーダライタ）のコイルの直径よりも小さい直径を有するコイルが備えられた第３の読み取り機（リーダライタ）が用いられる。
【００４５】
図１１は第１または第２実施形態の情報通信システム１における周波数帯域と情報量・分解能・距離との関係を示す図である。詳細には、図１１（Ａ）は情報通信システム１において用いられる周波数帯域と、情報媒体１１に格納可能な情報量との関係を示している。図１１（Ｂ）は情報通信システム１において用いられる周波数帯域と、読み取り機１２の分解能との関係を示している。図１１（Ｂ）は情報通信システム１において用いられる周波数帯域と、情報媒体１１と読み取り機１２との距離との関係を示している。
図１１（Ａ）に示すように、情報通信システム１において用いられる周波数帯域が高くなる（例えば情報通信システム１において用いられる電磁波の波長が短くなる）に従って、情報媒体１１に格納可能な情報量は大きくなる。つまり、高い周波数帯域を用いることによって、大容量のデータを情報媒体１１に格納することができる。
図１１（Ｂ）に示すように、情報通信システム１において用いられる周波数帯域が低くなる（例えば情報通信システム１において用いられる電磁波の波長が長くなる）に従って、読み取り機１２の分解能は低くなる。つまり、低い周波数帯域が用いられる場合には、分解能が低い読み取り機１２であっても、情報媒体１１に格納された情報を読み取ることができる。
図１１（Ｃ）に示すように、情報通信システム１において用いられる周波数帯域が低くなる（例えば情報通信システム１において用いられる電磁波の波長が長くなる）に従って、情報媒体１１と読み取り機１２との距離が大きくなる。つまり、つまり、低い周波数帯域が用いられる場合には、情報媒体１１から離れた読み取り機１２が、情報媒体１１に格納された情報を読み取ることができる。
【００４６】
換言すれば、従来の情報媒体は、一定の周波数帯域が格納されていない。また、従来の読み取り機は、分解能範囲で特定の周波数帯域のデータを読み取れない。従来の各情報媒体は限られた周波数帯域の情報データしか格納されないため、特定の読み取り機とその分解能によって特定の情報しか認識できない。すなわち、読み取り機が限られており、伝達情報量も限定されている。
【００４７】
一方、本発明の情報媒体では、複数の空間・電波・色等の周波数帯域のデータが合成される。ただし、情報媒体に格納されたデータは、周波数帯域間の依存関係情報を持っている。これより、それぞれの読み取り機に対しては、一定の情報しか直接に認識しないことになる。しかし、認識された情報によって、情報予測機能等が搭載される場合はさらに新たな情報を予測できて、またはより違った周波数帯域の情報を認識できる可能性がある。必要となった時に、より違った分解能の読み取り機を誘導して、該当周波数帯域のデータを読み取って、その情報を認識することができる仕組みになる。
なお、本発明の実現に関しては以下の既存技術を利用すると考える。
情報媒体にデータを格納する方法は既存の自動認識技術に使用されている方法で良い。
異なる周波数帯域のデータの合成方法に関しては、既存の画像合成方法、情報媒体の多層型・多段型の合成方法を適用すれば良い。
周波数帯域でのデータの配置およびその情報の依存関係に関しては、情報媒体の設計者（情報伝達者）により決める必要がある。
情報の依存関係に関しては、例として低周波数帯域において概要情報を、高周波数帯域において詳細情報を格納する。これにより、読み取り機は遠くから概要情報を認識して、より詳細な情報を認識するかどうか自動的に行うことができるようになる。
【００４８】
本発明によれば、読み取り機に搭載された認識能力・レベルに応じて、読み取れたデータから直接認識できた情報だけではなく、情報媒体に格納された他の情報を更に予測でき、無駄な処理をより省略できる。そのため、高速な自動認識を実現できる。これより、読み取り機に人工知能・機械学習などの最新の情報予測技術を導入しやすくなる。
データの読み取りに関しては、遠隔や移動状態から低周波数帯域のデータを読み取れる特徴がある。そのため、低周波数帯域においては、読み取り誘導情報を情報媒体に格納して、その情報を認識することによって新たなデータ読み取り・認識プロセスに移ることができる。これより、例えば、移動速度または位置関係を制御してより高周波数帯域の情報を認識できるように機器を誘導することができる。その応用は、自動運転・自動飛行・自律走行などに適すると考えられる。
複数周波数帯の情報データがあるため、読み取り機分解能の依存性を緩和できており、保有・所有している読み取り機でより情報を認識できる。
周波数帯間の情報データの依存関係があるため、何らかのデータ欠損に対して、他の周波数帯の情報内容からデータの復元やその情報を予測できる。
周波数帯域外の情報データは読み取り機分解能の範囲外となっているため、ノイズなどとして既存のフィルターで除去され、新たな分解能の読み取り機は使用される際にその除去された場所に対して情報データを読み取り、情報を認識できる認識誘導性がある。
複雑な情報を伝送したい時、非常時などの認識の必要となる媒体が集中される時に向いている。
情報伝達側（媒体側）でそれぞれの読み取り機とその分解能に対して、一定の情報しか直接的に認識させない。
情報認識側（読み取り機側）は、自らの分解能の調整（移動・制御）または読み取れたデータのフィルター処理により一定の周波数帯域の情報を認識できる。
【００４９】
以上、本発明の実施形態及びその適用例を説明したが、これらの実施形態及びその適用例は、例として提示したものであり、発明の範囲を限定することは意図していない。これらの実施形態及びその適用例は、その他の様々な形態で実施されることが可能であり、発明の要旨を逸脱しない範囲で、種々の省略、置き換え、変更を行うことができる。これらの実施形態及びその適用例は、発明の範囲や要旨に含まれると同時に、特許請求の範囲に記載された発明とその均等の範囲に含まれるものである。また、上述した各実施形態及びその適用例は、互いに適宜組み合わせることができる。
【符号の説明】
【００５０】
１  情報通信システム
１１  情報媒体
１１Ａ  第１データ
１１Ａ１  データ
１１Ｂ  第２データ
１１Ｂ１〜１１Ｂ５  データ
１１Ｃ  第３データ
１１Ｃ１〜１１Ｃ５  データ
１１Ｄ  第４データ
１１Ｄ１〜１１Ｄ７  データ
１２  読み取り機
１２Ａ  第１読み取り部
１２Ｂ  第２読み取り部
１２Ｃ  第３読み取り部
１２Ｄ  第４読み取り部
１２Ｅ  設定切り替え部
１２Ｆ  予測部
【図１】
2019079254.tif 000003
【図２】
2019079254.tif 000004
【図３】
2019079254.tif 000005
【図４】
2019079254.tif 000006
【図５】
2019079254.tif 000007
【図６】
2019079254.tif 000008
【図７】
2019079254.tif 000009
【図８】
2019079254.tif 000010
【図９】
2019079254.tif 000011
【図１０】
2019079254.tif 000012
【図１１】
2019079254.tif 000013